(57)【特許請求の範囲】
【請求項１】
平面視矩形状の平板部の両側縁に沿って該平板部の上面側に突出する一対の段差部が設けられた断面ハット型の鋼板からなる下側受板及び上側受板を複数枚ずつ用いて屋根上に太陽光発電パネルを施工する太陽光発電パネルの施工方法であって、
一の下側受板における一方の段差部が、該一の下側受板の隣に配された他の下側受板における他方の段差部と重なるように、複数枚の下側受板を、屋根下地の上面における太陽光発電パネルの施工予定区画の最下段部に並べて敷設するとともに、隣り合う下側受板の段差部の重なった部分の幅を調節することにより、下側受板の屋根の軒先方向の配置ピッチを調節する下側受板敷設工程と、
一の上側受板における一方の段差部が、該一の上側受板の隣に配された他の上側受板における他方の段差部、及び該一の上側受板の下段に配された下側受板における一方の段差部の上部とそれぞれ重なるように、複数枚の上側受板を、屋根下地の上面における太陽光発電パネルの施工予定区画における下側受板が敷設された部分よりも上段部に対して並べて敷設するとともに、上側受板を下側受板に対して屋根の勾配方向にスライドさせることにより、下側受板の下縁から上側受板の上縁までの距離を調節する上側受板敷設工程と、
下側受板敷設工程及び上側受板敷設工程で敷設された下側受板の段差部及び上側受板の段差部によって屋根の勾配方向に沿って形成された山部の頂面に対して太陽光発電パネルを固定する太陽光発電パネル施工工程と、
を経ることを特徴とする太陽光発電パネルの施工方法。
【請求項２】
下側受板及び上側受板として、その屋根の勾配方向に沿った長さが１〜７ｍで、その屋根の軒先方向に沿った幅が０．３〜３ｍのものを使用する請求項１記載の太陽光発電パネルの施工方法。
【請求項３】
下側受板及び上側受板として、その段差部の高さが２〜１５ｃｍのものを使用する請求項１又は２記載の太陽光発電パネルの施工方法。
【請求項４】
下側受板敷設工程を行うよりも前に、屋根下地の上面における太陽光発電パネルの施工予定区画に、屋根の勾配方向に沿って延びる複数本の補強用支持棒を、屋根の軒先方向に所定ピッチで固定する補強用支持棒固定工程を行い、
下側受板敷設工程及び上側受板敷設工程において、下側受板の段差部及び上側受板の段差部が補強用支持棒に重なるように下側受板及び上側受板を敷設する請求項１〜３いずれか記載の太陽光発電パネルの施工方法。
【発明の詳細な説明】
【技術分野】
【０００１】
本発明は、屋根上に太陽光発電パネルを施工するための太陽光発電パネルの施工方法に関する。
【背景技術】
【０００２】
従来より、屋根の勾配方向に沿う複数の凸条を有する鋼板を使用して屋根を形成し、該鋼板における凸条の頂面に太陽光発電パネルを固定することが行われている（例えば特許文献１，２を参照）。この鋼板は、屋根における太陽光発電パネルを載せる箇所（太陽光発電パネルの施工予定区画）にのみ配され、屋根における他の部分は、瓦などの別の種類の屋根材が配されることがある。この場合、鋼板で施工する部分の面積は、固定する太陽光発電パネルの枚数や、個々の太陽光発電パネルの寸法や、施工する屋根の形状や面積などによって、異なるのが一般的である。このため、この鋼板は、工場から出荷されたものを施工現場で所望の寸法に裁断して使用するのが一般的となっていた。この裁断作業は、非常に手間取るため、工期を短縮できない大きな原因となっていた。
【０００３】
ところで、特許文献１，２には、鋼板を横方向（屋根の軒先方向）に分割された構造とし、複数枚の鋼板を横方向に並べ、横方向に隣り合う鋼板の側縁同士を重ね合わせることにより、連続した屋根を形成することについて記載されている。この横方向に分割された鋼板は、大きな１枚ものの鋼板と比べて、持ち運びしやすいという利点がある。また、横方向に並べる鋼板の枚数を増減することで、鋼板で形成された部分の横方向の長さを容易に変更することも可能である。しかし、屋根の勾配方向（屋根の棟から軒先に向かう方向）に沿っては、それぞれの鋼板は連続した形態となっていた。このため、鋼板で施工する部分の屋根の勾配方向に沿った長さが長い場合には、縦方向に長い鋼板を使用する必要があり、その持ち運びや施工に手間取ることがあった。加えて、屋根の勾配方向に配置する太陽光発電パネルの段数や、個々の太陽光発電パネルの縦方向の長さに応じて、それぞれの鋼板を裁断してその縦方向の長さを調節する必要があり、工期を十分に短縮できるものとはなっていなかった。
【先行技術文献】
【特許文献】
【０００４】
【特許文献１】特開２００２−１８０６０９号公報
【特許文献２】特開２０１１−１１１８０６号公報
【発明の概要】
【発明が解決しようとする課題】
【０００５】
本発明は、上記課題を解決するためになされたものであり、施工現場で鋼板を裁断する手間を要せず、屋根の勾配方向に配置する太陽光発電パネルの段数や、個々の太陽光発電パネルの縦方向の長さに応じて、鋼板で形成する部分の屋根の勾配方向に沿った長さを容易に変更することができ、工期を大幅に短縮することのできる太陽光発電パネルの施工方法を提供するものである。
【課題を解決するための手段】
【０００６】
上記課題は、
平面視矩形状の平板部の両側縁に沿って該平板部の上面側に突出する一対の段差部が設けられた断面ハット型の鋼板からなる下側受板及び上側受板を複数枚ずつ用いて屋根上に太陽光発電パネルを施工する太陽光発電パネルの施工方法であって、
一の下側受板における一方の段差部が、該一の下側受板の隣に配された他の下側受板における他方の段差部と重なるように、複数枚の下側受板を、屋根下地の上面における太陽光発電パネルの施工予定区画の最下段部に並べて敷設するとともに、左右（屋根の軒先方向）に隣り合う下側受板の段差部の重なった部分の幅を調節することにより、下側受板の屋根の軒先方向の配置ピッチを調節する下側受板敷設工程と、
一の上側受板における一方の段差部が、該一の上側受板の隣に配された他の上側受板における他方の段差部、及び該一の上側受板の下段に配された下側受板における一方の段差部の上部とそれぞれ重なるように、複数枚の上側受板を、屋根下地の上面における太陽光発電パネルの施工予定区画における下側受板が敷設された部分よりも上段部に対して並べて敷設するとともに、上側受板を下側受板に対して屋根の勾配方向にスライドさせることにより、下側受板の下縁から上側受板の上縁までの距離を調節する上側受板敷設工程と、
下側受板敷設工程及び上側受板敷設工程で敷設された下側受板の段差部及び上側受板の段差部によって屋根の勾配方向に沿って形成された山部の頂面に対して太陽光発電パネルを固定する太陽光発電パネル施工工程と、
を経ることを特徴とする太陽光発電パネルの施工方法
を提供することによって解決される。
【０００７】
本発明の太陽光発電パネルの施工方法によれば、下側受板敷設工程において、隣り合う下側受板の段差部の重なった部分の幅を調節するだけで、下側受板の屋根の軒先方向の配置ピッチを調節することができる。したがって、後述するように、屋根下地の上面に固定された補強用支持棒の配置ピッチに誤差があるような場合であっても、容易に対応することができる。加えて、鋼板で形成する部分の屋根の軒先方向に沿った長さを微調整することも可能であり、下側受板の使用枚数を増減すれば、屋根の軒先方向に沿った長さを大幅に変更することも可能である。
【０００８】
また、上側受板敷設工程において、上側受板を下側受板に対してスライドさせるだけで、下側受板の下縁から上側受板の上縁までの屋根の勾配方向に沿った長さを調節することができる。したがって、鋼板（下側受板及び上側受板）を施工現場で裁断する手間を要することなく、屋根の勾配方向に配置する太陽光発電パネルの段数や、個々の太陽光発電パネルの縦方向の長さに応じて、鋼板で形成する部分の屋根の勾配方向に沿った長さを容易に変更することができる。
【０００９】
さらに、下側受板及び上側受板の寸法を規格化することも可能である。下側受板及び上側受板を規格化すれば、その製造コストを削減することができるし、現場での手間をより軽減して施工コストをさらに削減することもできる。加えて、下側受板と上側受板を太陽光発電パネルとセットにして販売することも容易になる。例えば、太陽光発電パネルを受注すると、その施工面積に応じた枚数及び寸法（種類）の下側受板及び上側受板を、その保管場所から太陽光発電パネルとともに現場へ出荷することができる。このように、太陽光発電パネルの施工に必要な部材全ての供給を一元化することにより、管理コストや流通コストを削減することも可能になる。
【００１０】
さらにまた、下側受板及び上側受板における平板部（谷部）よりも高くなった段差部（山部）の頂面に太陽光発電パネルを固定するようにしたので、屋根を流れる雨水が太陽光発電パネルの固定箇所に到達しないようにすることができる。したがって、太陽光発電パネルの固定箇所から雨漏りが生ずるのを防止することも可能となっている。
【００１１】
本発明の太陽光発電パネルの施工方法によって一般家屋に太陽光発電パネルを施工する場合には、通常、１段の下側受板と１段の上側受板とからなる計２段の受板を施工する。しかし、大きな家屋や大規模な建築物（公共施設など）の屋根における広い面積に太陽光発電パネルを施工する場合には、受板を３段以上とすることもできる。すなわち、上側受板敷設工程において、上側受板を２段以上敷設する。この場合、上段の上側受板の下部は、その下段に配された上側受板の上部に重ねる。左右に隣り合う上側受板の段差部を重ねることや、上段の上側受板を花壇の上側受板に対して屋根の勾配方向にスライドさせることにより、下側受板の下縁から最上段部の上側受板の上縁までの距離を調節することについては、下側受板の上段部に上側受板を敷設する場合と同様である。
【００１２】
本発明の太陽光発電パネルの施工方法において、下側受板や上側受板の寸法は、特に限定されない。しかし、下側受板及び上側受板それぞれの屋根の勾配方向（縦方向）に沿った長さが短すぎると、下側受板及び上側受板を敷設する段数が多くなり、逆にその施工に手間取るようになるおそれがある。このため、下側受板及び上側受板それぞれの縦方向の長さは、通常、１ｍ以上とされる。下側受板及び上側受板それぞれの縦方向の長さは、１．５ｍ以上であると好ましい。一方、下側受板及び上側受板それぞれの縦方向の長さが長すぎると、下側受板及び上側受板を持ち運びしにくくなるだけでなく、その施工にも手間取るようになるおそれがある。このため、下側受板及び上側受板それぞれの縦方向の長さは、通常、７ｍ以下とされる。下側受板及び上側受板それぞれの縦方向の長さは、５ｍ以下であると好ましい。
【００１３】
また、下側受板及び上側受板それぞれの屋根の軒先方向（横方向）に沿った長さが短すぎても、同じ段に敷設する下側受板及び上側受板の枚数が多くなり、その施工に手間取るようになるおそれがある。このため、下側受板及び上側受板それぞれの横方向の長さは、通常、０．３ｍ以上とされる。下側受板及び上側受板それぞれの横方向の長さは、０．５ｍ以上であると好ましく、１ｍ以上であるとより好ましい。一方、下側受板及び上側受板それぞれの横方向の長さが長すぎると、下側受板及び上側受板を持ち運びしにくくなるだけでなく、太陽光発電パネルを広いスパンでしか固定できなくなり、太陽光発電パネルの固定強度が低下するおそれがある。このため、下側受板及び上側受板それぞれの横方向の長さは、通常、３ｍ以下とされる。それぞれの屋根材の横方向の長さは、２ｍ以下であると好ましい。
【００１４】
本発明の太陽光発電パネルの施工方法において、下側受板や上側受板におけるそれぞれの段差部の高さは、特に限定されない。しかし、この段差部を低くしすぎると、屋根を流れる雨水が前記山部の頂面に達しやすくなり、前記山部における太陽光発電パネルの固定箇所で雨漏りが生ずる可能性がでてくる。加えて、上側受板敷設工程において上側受板を下側受板に対してスライドさせる際に、上側受板の段差部が下側受板の段差部から脱落しやすくなり、下側受板の下縁から上側受板の上縁までの距離を調節する際の作業性が低下するおそれもある。このため、下側受板及び上側受板におけるそれぞれの段差部の高さは、通常、２ｃｍ以上とされる。下側受板及び上側受板におけるそれぞれの段差部の高さは、２．５ｃｍ以上であると好ましく、３ｃｍ以上であるとより好ましい。
【００１５】
一方、下側受板や上側受板におけるそれぞれの段差部を高くしすぎると、下側受板及び上側受板の製造に要する鋼板の量が増大するし、施工後の屋根の見た目が悪くなるおそれもある。加えて、上側受板敷設工程において上側受板を下側受板に対してスライドさせる際に、上側受板の段差部が下側受板の段差部から受ける摩擦抵抗が増大し、上側受板をスライドさせにくくなるおそれがある。このため、下側受板及び上側受板におけるそれぞれの段差部の高さは、通常、１５ｃｍ以下とされる。下側受板及び上側受板におけるそれぞれの段差部の高さは、１０ｃｍ以下とすると好ましく、５ｃｍ以下とするとより好ましい。
【００１６】
本発明の太陽光発電パネルの施工方法において、下側受板敷設工程及び上側受板敷設工程は、平坦な屋根下地の上面に対して行ってもよいが、下側受板敷設工程を行うよりも前に、屋根下地の上面における太陽光発電パネルの施工予定区画に、屋根の勾配方向に沿って延びる複数本の補強用支持棒を、屋根の軒先方向に所定ピッチで固定する補強用支持棒固定工程を行い、下側受板敷設工程及び上側受板敷設工程において、下側受板の段差部及び上側受板の段差部が補強用支持棒に重なるように下側受板及び上側受板を敷設すると好ましい。これにより、下側受板の段差部及び上側受板の段差部を補強用支持棒で下側から支え、太陽光発電パネルが固定される前記山部の強度を高めることが可能になる。また、下側受板敷設工程や上側受板敷設工程において補強用支持棒を目安に下側受板や上側受板を敷設することが可能になり、これらの敷設作業を容易に行うことも可能になる。
【発明の効果】
【００１７】
以上のように、本発明によって、施工現場で鋼板を裁断する手間を要せず、屋根の勾配方向に配置する太陽光発電パネルの段数や、個々の太陽光発電パネルの縦方向の長さに応じて、鋼板で形成する部分の屋根の勾配方向に沿った長さを容易に変更することができ、工期を大幅に短縮することのできる太陽光発電パネルの施工方法を提供することが可能になる。したがって、太陽光発電パネルの施工コストを大幅に削減することも可能になる。
【図面の簡単な説明】
【００１８】
【図１】屋根下地を構成する野地板の上面に下葺き材を敷設している状態を示した斜視図である。
【図２】屋根下地に唐草板金を取り付けた状態を示した斜視図である。
【図３】屋根下地の上面に補強用支持棒を固定した状態を示した斜視図である。
【図４】屋根下地の上面における太陽光発電パネルの施工予定区画の最下段部に複数枚の下側受板を並べて敷設している状態を示した斜視図である。
【図５】複数枚の下側受板を狭目の配置ピッチで並べて敷設した状態をｘ−ｚ面に平行な平面で切断した拡大断面図である。
【図６】複数枚の下側受板を広目の配置ピッチで並べて敷設した状態をｘ−ｚ面に平行な平面で切断した拡大断面図である。
【図７】屋根下地の上面における太陽光発電パネルの施工予定区画の最下段部に複数枚の下側受板を並べて敷設した状態を示した斜視図である。
【図８】屋根下地の上面における太陽光発電パネルの施工予定区画の下側受板が敷設された部分よりも上段部に複数枚の上側受板を並べて敷設している状態を示した斜視図である。
【図９】下側受板の下縁から上側受板の上縁までの距離が長くなるように上側受板を敷設した状態をｙ−ｚ面に平行な平面で切断した断面図である。
【図１０】下側受板の下縁から上側受板の上縁までの距離が短くなるように上側受板を敷設した状態をｙ−ｚ面に平行な平面で切断した断面図である。
【図１１】屋根下地の上面における太陽光発電パネルの施工予定区画に下側受板及び上側受板を敷設し終えた状態を示した斜視図である。
【図１２】下側受板の段差部及び上側受板の段差部によって形成された山部の頂面に金具を固定した状態を示した斜視図である。
【図１３】下側受板の段差部及び上側受板の段差部によって形成された山部の頂面に対して太陽光発電パネルを固定した状態を示した斜視図である。
【発明を実施するための形態】
【００１９】
本発明の太陽光発電パネルの施工方法の好適な実施態様について、図面を用いてより具体的に説明する。図１〜１３において、ｘ軸は、屋根の軒先方向に平行な水平軸であり、ｙ軸は、屋根の軒先から棟側に向かって延びる水平軸であり、ｚ軸は、ｘ軸及びｙ軸に対して垂直な鉛直軸である。本実施態様の太陽光発電パネルの施工方法は、屋根下地構築工程と、補強用支持棒固定工程と、下側受板敷設工程と、上側受板敷設工程と、太陽光発電パネル施工工程からなる計５つの工程をこの順番で行うことにより行われる。
【００２０】
１．屋根下地構築工程
まず、屋根下地構築工程について説明する。図１は、屋根下地１００を構成する野地板１０２の上面に下葺き材１０３を敷設している状態を示した斜視図である。図２は、屋根下地１００に唐草板金１０４を取り付けた状態を示した斜視図である。屋根下地構築工程は、図１，２に示すように、屋根下地１００を構築する工程である。本実施態様の太陽光発電パネルの施工方法において、屋根下地構築工程は、図１に示すように、垂木１０１の上面に野地板１０２を張り、野地板１０１の上面に防水性を有するシートからなる下葺き材１０３を敷設することにより行っている。下葺き材１０３としては、アスファルトルーフィングや塩化ビニルシートなどを用いることができる。屋根下地１００の上面における一部の区画のみに太陽光発電パネルを施工し、他の区画を瓦などの上葺き材で仕上る場合にも、下葺き材１０３は、原則、屋根下地１００の上面における全体に（太陽光発電パネルを施工しない区画にも）敷設する。屋根下地１００の先端縁（軒先部分。図示省略の破風板に沿った箇所）には、図２に示すように、水切り用の唐草板金１０４を固定している。
【００２１】
２．補強用支持棒固定工程
屋根下地構築工程を終えると、続いて補強用支持棒固定工程を行う。図３は、屋根下地１００の上面に補強用支持棒１０５を固定した状態を示した斜視図である。補強用支持棒固定工程は、図３に示すように、屋根下地１００の上面における太陽光発電パネルの施工予定区画に、屋根の勾配方向に沿って延びる複数本の補強用支持棒１０５を、屋根の軒先方向に所定ピッチで固定する工程である。補強用支持棒１０５は、通常、釘などの留め具（図示省略）を用いて、屋根下地１００に固定される。補強用支持棒１０５の横方向の配置ピッチ（屋根の軒先方向の配置ピッチ）は、後述する通り、太陽光発電パネルを固定する山部の横方向の配置ピッチに一致する。このため、補強用支持棒１０５の配置ピッチは、施工する太陽光発電パネルの寸法などを考慮して適宜決定される。補強用支持棒１０５を固定する釘などの留め具は、屋根下地１００における野地板１０２に到達させればよいが、その下側の垂木１０１まで到達させると、屋根下地１００に対して補強用支持棒１０５をより強固に固定することができる。このため、本実施態様の太陽光発電パネルの施工方法においては、垂木１０１の横方向の配置ピッチを補強用支持棒１０５の横方向の配置ピッチ（すなわち前記山部の横方向の配置ピッチ）に一致するように、垂木１０１を割り付けている。
【００２２】
３．下側受板敷設工程
補強用支持棒固定工程を終えると、続いて下側受板敷設工程を行う。図４は、屋根下地１００の上面における太陽光発電パネルの施工予定区画の最下段部に複数枚の下側受板１０を並べて敷設している状態を示した斜視図である。下側受板敷設工程は、図４に示すように、屋根下地１００の上面における太陽光発電パネルの施工予定区画の最下段部に、複数枚の下側受板１０を横方向に並べて敷設する工程である。それぞれの下側受板１０は、断面ハット型の鋼板で形成されており、平面視矩形状の平板部１１と、平板部１１の両側縁に沿って平板部１１の上面側に突出する一対の段差部１２，１３とで構成されている。本実施態様の太陽光発電パネルの施工方法において、下側受板１０は、ガルバニウム鋼板により形成している。
【００２３】
この下側受板敷設工程において、複数枚の下側受板１０は、図４に示すように、一の下側受板１０における一方の段差部１２が、該一の下側受板１０の隣に配された他の下側受板１０における他方の段差部１３と重なるように、屋根の軒先方向における一方から他方に向かって順次敷設する。段差部１２と段差部１３とが重なった部分は、屋根の勾配方向に沿った山部βとなる。山部βは、屋根の勾配方向に沿って所定ピッチで複数本形成され、その間は平板部１１で形成された谷部αとなる。それぞれの下側受板１０は、その段差部１２，１３を補強用支持棒１０５に重ねることにより、屋根下地１００に対して容易に位置決めすることができる。下側受板１０の使用枚数は、太陽光発電パネルの施工予定区画の横幅に応じて適宜決定する。
【００２４】
また、この下側受板敷設工程では、図５，６に示すように、隣り合う下側受板１０の段差部１２，１３の重なった部分の幅Ａを調節することにより、下側受板１０の屋根の軒先方向の配置ピッチＰを調節することができる。図５は、複数枚の下側受板１０を狭目の配置ピッチＡ（＝Ａ１）で並べて敷設した状態をｘ−ｚ面に平行な平面で切断した拡大断面図である。図６は、複数枚の下側受板１０を広目の配置ピッチＡ（＝Ａ２＞Ａ１）で並べて敷設した状態をｘ−ｚ面に平行な平面で切断した拡大断面図である。これにより、補強用支持棒１０５の配置ピッチに誤差があったり、補強用支持棒１０５が屋根の勾配方向に対して完全に平行となっていない場合であっても、下側受板１０の敷設を行うことが可能である。下側受板１０を適切な場所に敷設すると、下側受板１０を屋根下地１００に対して固定する。屋根下地１００に対する下側受板１０の固定は、通常、釘などの留め具（図示省略）を下側受板１０の上面側から打ち込むことにより行う。しかし、谷部αに釘を打ち込むと、その部分から雨漏りが生ずるおそれがあるため、釘などの留め具は、山部βの頂面からその下側の補強用支持棒１０５に対して打ち込むようにする。
【００２５】
下側受板１０の寸法は、上述した通り、特に限定されない。本実施態様の太陽光発電パネルの施工方法において、下側受板１０の屋根の勾配方向（縦方向）に沿った長さは、約４ｍとしている。一方、下側受板１０の屋根の軒先方向（横方向）に沿った長さは、１ｍとしている。また、下側受板１０における段差部１２，１３の高さは、約３ｃｍとしている。また、下側受板１０の段差部１２，１３における水平な部分（フランジ部）の横幅（屋根の軒先方向に沿った幅）も、特に限定されないが、上述した下側受板１０の配置ピッチＰの調節しろを確保することや、下側受板１０の敷設後に前記フランジ部の先端が山部βの側面から突き出ないようにすることなどを考慮すると、通常、３〜２０ｃｍとされる。前記フランジ部の横幅は、５〜１５ｃｍであると好ましい。本実施態様の太陽光発電パネルの施工方法において、前記フランジ部の横幅は、約１０ｃｍとしている。
【００２６】
図７は、屋根下地１００の上面における太陽光発電パネルの施工予定区画の最下段部に複数枚の下側受板１０を並べて敷設した状態を示した斜視図である。敷設した下側受板１０の上縁に沿った箇所（後述する上側受板敷設工程において上側受板２０が重ねられる箇所）には、図７に示すように、防水テープ５０を固着すると好ましい。これにより、下側受板１０と上側受板２０の隙間から雨水が屋根下地１００側に入り込むのを防ぐことが可能になり、雨漏りをより確実に防止することができる。
【００２７】
４．上側受板敷設工程
下側受板敷設工程を終えると、続いて上側受板敷設工程を行う。図８は、屋根下地１００の上面における太陽光発電パネルの施工予定区画の下側受板１０が敷設された部分よりも上段部に複数枚の上側受板２０を並べて敷設している状態を示した斜視図である。上側受板敷設工程は、図８に示すように、屋根下地１００の上面における太陽光発電パネルの施工予定区画の上段部に、複数枚の上側受板２０を横方向に並べて敷設する工程である。それぞれの上側受板２０は、下側受板１０と同様の断面形状を有する断面ハット型の鋼板で形成されており、平面視矩形状の平板部２１と、平板部２１の両側縁に沿って平板部２１の上面側に突出する一対の段差部２２，２３とで構成されている。本実施態様の太陽光発電パネルの施工方法において、上側受板２０は、ガルバニウム鋼板により形成している。
【００２８】
この上側受板敷設工程において、複数枚の上側受板２０は、図８に示すように、一の上側受板２０における一方の段差部２２が、該一の上側受板２０の隣に配された他の上側受板２０における他方の段差部２３、及び該一の上側受板２０の下段に配された下側受板１０における一方の段差部１２（図５を参照）の上部とそれぞれ重なるように、屋根の軒先方向における一方から他方に向かって順次敷設する。段差部２２と段差部２３とが重なった部分は、屋根の勾配方向に沿った山部βとなる。山部βは、屋根の勾配方向に沿って所定ピッチで複数本形成され、その間は平板部１１で形成された谷部αとなることについては、下側受板１０を敷設した場合と同様である。また、それぞれの上側受板２０は、その段差部２２，２３を補強用支持棒１０５に重ねることにより、屋根下地１００に対して容易に位置決めすることができることや、上側受板２０の使用枚数は、太陽光発電パネルの施工予定区画の横幅に応じて適宜決定することなどについても、下側受板１０を敷設する場合と同様である。
【００２９】
また、この上側受板敷設工程では、図９，１０に示すように、上側受板２０を下側受板１０に対して屋根の勾配方向にスライドさせ、上側受板２０と下側受板１０の重なった部分の屋根の勾配方向に沿った長さＢを変化させることにより、下側受板１０の下縁から上側受板２０の上縁までの距離Ｃを調節することができる。図９は、下側受板１０の下縁から上側受板２０の上縁までの距離Ｃが長くなる（Ｃ＝Ｃ１となる）ように上側受板２０を敷設した状態をｙ−ｚ面に平行な平面で切断した断面図である。図１０は、下側受板１０の下縁から上側受板２０の上縁までの距離Ｃが短くなる（Ｃ＝Ｃ２＜Ｃ１となる）ように上側受板２０を敷設した状態をｙ−ｚ面に平行な平面で切断した断面図である。これにより、太陽光発電パネルの施工予定区画の縦長（屋根の勾配方向に沿った長さ）に応じて、距離Ｃを連続的に調節することが可能になる。したがって、太陽光発電パネルの縦長や施工段数が異なり、太陽光発電パネルの施工予定区画の縦長が施工現場によって異なる場合であっても、上側受板２０をスライドさせるだけで容易かつ柔軟に対応することが可能となる。
【００３０】
上側受板２０の寸法は、上述した通り、特に限定されない。上側受板２０の屋根の軒先方向（横方向）に沿った長さは、通常、下側受板１０の横方向に沿った長さに揃えられる。ただし、上側受板２０の平板部２１の横幅は、上側受板２０の板厚（２枚分）に相当する分だけ、下側受板１０の平板部１１の横幅よりも狭くすると好ましい。これにより、上側受板２０を下側受板１０に対してスライドしやすくすることが可能になる。これに対し、上側受板２０の屋根の勾配方向（縦方向）に沿った長さは、下側受板１０の縦方向に沿った長さに揃える必要はない。本実施態様の太陽光発電パネルの施工方法において、上側受板２０の屋根の縦方向に沿った長さは、約３．５ｍとしている。一方、上側受板２０の横方向に沿った長さは、１ｍとしている。上側受板２０における段差部２２，２３の高さや、段差部２２，２３における水平な部分（フランジ部）の横幅（屋根の軒先方向に沿った幅）については、下側受板１０における段差部１２，２３と同様である。上側受板２０の平板部２１における上縁に沿った箇所には水返し用の上向きの起立片（図示省略）を形成してもよい。
【００３１】
図１１は、屋根下地１００の上面における太陽光発電パネルの施工予定区画に下側受板１０及び上側受板２０を敷設し終えた状態を示した斜視図である。上側受板敷設工程を終えた屋根下地１００の上面には、図１１に示すように、屋根の勾配方向に沿った複数本の山部βが形成されている。本実施態様の太陽光発電パネルの施工方法では、上側受板２０を１段に敷設したのみで、上側受板敷設工程を終了しているが、既に述べた通り、上側受板２０は、２段以上に配することもできる。
【００３２】
５．太陽光発電パネル施工工程
上側受板敷設工程を終えると、続いて太陽光発電パネル施工工程を行う。図１２は、下側受板１０の段差部１２，１３（図４を参照）及び上側受板２０の段差部２２，２３（図８を参照）によって形成された山部βの頂面に金具３０を固定した状態を示した斜視図である。図１３は、下側受板１０の段差部１２，１３（図４を参照）及び上側受板２０の段差部２２，２３（図８を参照）によって形成された山部βの頂面に対して太陽光発電パネル４０を固定した状態を示した斜視図である。太陽光発電パネル施工工程は、図１２，１３に示すように、屋根の勾配方向に沿って形成された山部βの頂面に対して太陽光発電パネル４０を固定する工程である。
【００３３】
本実施態様の太陽光発電パネルの施工方法において、太陽光発電パネル施工工程は、図１２に示すように、まず、山部βの頂面における所定箇所に金具３０を固定した後、図１３に示すように、金具３０に対して太陽光発電パネル４０を固定することにより行っている。このように山部βの頂面に対して太陽光発電パネル４０を固定することで、雨漏りを防止するだけでなく、太陽光発電パネル取付用の架台などを別途取り付けることなく、太陽光発電パネル４０を容易に固定することができる。金具３０は、図１２に示した形態以外のものでも、太陽光発電パネル４０の仕様に応じた各種の形態のものを採用することができる。
【００３４】
６．その他
以上で、本発明の太陽光発電パネルの施工方法は完了する。屋根下地１００の上面における太陽光発電パネル４０を施工した以外の箇所は、瓦などの上葺き材を施工する。以上のように、本発明の太陽光発電パネルの施工方法によれば、施工現場で鋼板（下側受板１０及び上側受板２０）を裁断する手間を要することなく、太陽光発電パネル４０の施工予定区画に合致するように、鋼板で形成された板材（下側受板１０及び上側受板２０）を敷設することが可能である。このため、太陽光発電パネル４０の施工に伴う工期を大幅に短縮し、その施工コストを大幅に削減することもできる。また、以下のように、太陽光発電パネル４０とともに、下側受板１０や上側受板２０を合わせて販売するビジネスモデルの実現も可能になる。
【００３５】
まず、ある場所（倉庫など）に、下側受板１０、上側受板２０、金具３０、及び太陽光発電パネル４０など、太陽光発電パネル４０の施工に必要な部材（太陽光発電パネルセット）の在庫を保管しておく。下側受板１０や、上側受板２０は、１種類だけでなく、複数種類を用意しておくと好ましい。例えば、下側受板１０と上側受板２０のそれぞれにつき、その縦長が１．５ｍのもの（１．５ｍタイプ）と、その縦長が３ｍのもの（３ｍタイプ）と、その縦長が３．５ｍのもの（３．５ｍタイプ）と、その縦長が４ｍのもの（４ｍタイプ）との４種類ずつを用意しておく。下側受板１０と上側受板２０の横幅については、全て同じ（例えば１ｍ）であってもよい。
【００３６】
太陽光発電パネル４０を受注すると、その発電量によって、太陽光発電パネル４０の必要枚数が決まり、太陽光発電パネル４０の施工予定区画の横幅と縦長が決まる。この施工予定区画の寸法に応じて、下側受板１０のタイプ及び必要枚数と、上側受板２０のタイプ及び必要枚数を決定する。例えば、太陽光発電パネル４０の施工予定区画の横幅が７ｍ弱で縦長が４ｍである場合には、３ｍタイプの下側受板１０を７枚、１．５ｍタイプの上側受板を７枚用意する。これらの下側受板１０及び上側受板２０を、太陽光発電パネル４０とともに現場に出荷する。
【００３７】
以上のビジネスモデルによれば、受注を受けてから施工するまでの期間を大幅に短縮するだけでなく、大量の太陽光発電パネル４０をまとめて購入又は生産しておくことにより、太陽光発電パネル４０の入手コストを大幅に削減することも可能になる。また、その流通コストを大幅に削減することも可能になる。したがって、太陽光発電パネル４０の導入コストを大幅に削減し、太陽光発電パネル４０の普及を促進することが可能になる。
【符号の説明】
【００３８】
１０    下側受板
１１    平板部
１２    段差部
１３    段差部
２０    上側受板
２１    平板部
２２    段差部
２３    段差部
３０    金具
４０    太陽光発電パネル
５０    防水テープ
１００    屋根下地
１０１    垂木
１０２    野地板
１０３    下葺き材
１０４    唐草板金
１０５    補強用支持棒
Ａ    隣り合う下側受板の段差部の重なった部分の幅
Ｂ    上側受板と下側受板の重なった部分の屋根の勾配方向に沿った長さ
Ｃ    下側受板の下縁から上側受板の上縁までの距離
Ｐ    下側受板の屋根の軒先方向の配置ピッチ
α    谷部
β    山部
【図１】
0005869901.tif 000002
【図２】
0005869901.tif 000003
【図３】
0005869901.tif 000004
【図４】
0005869901.tif 000005
【図５】
0005869901.tif 000006
【図６】
0005869901.tif 000007
【図７】
0005869901.tif 000008
【図８】
0005869901.tif 000009
【図９】
0005869901.tif 000010
【図１０】
0005869901.tif 000011
【図１１】
0005869901.tif 000012
【図１２】
0005869901.tif 000013
【図１３】
0005869901.tif 000014